(57)【特許請求の範囲】
【請求項１】
引戸の開放動作を行なう交流開閉機と、引戸の閉鎖動作を行なう自閉機構と、引戸の全開位置を検知する近接スイッチと、開口間に設けられる光電センサと、引戸の開閉をコントロールする制御部から構成される引戸装置において、
前記制御部は、前記交流開閉機に交流電圧を供給して該交流開閉機を開駆動させる交流用回路と、前記交流開閉機に直流電圧を印加する直流用回路を有し、
前記近接スイッチからの全開信号と前記光電センサからの検知信号を共に受けている間は、前記直流用回路をクローズ状態にして前記交流開閉機の回転軸をロックすることで引戸の移動を規制するようにし、
さらに前記交流開閉機の増速起動トルクを前記自閉装置の付勢力よりも低く設定したことを特徴とする引戸装置。
【請求項２】
引戸の開放動作を行なう交流開閉機と、引戸の閉鎖動作を行なう自閉機構と、引戸の全開位置を検知する近接スイッチと、開口間に設けられる光電センサと、引戸の開閉をコントロールする制御部から構成される引戸装置において、
前記制御部は、前記交流開閉機に交流電圧を供給して該交流開閉機を駆動させる交流用回路と、前記交流開閉機に直流電圧を印加する直流用回路を有し、
前記近接スイッチからの全開信号を受けた場合には、所定時間前記直流用回路をクローズ状態にして前記交流開閉機の回転軸をロックすることで引戸の移動を規制するようにし、
さらに前記交流開閉機の増速起動トルクを前記自閉装置の付勢力よりも低く設定したことを特徴とする引戸装置。
【発明の詳細な説明】
【０００１】
【発明の属する技術分野】
本発明は、建物の開口部に取り付けられる引戸装置に関するものであり、詳しくは引戸の開放を開閉機で行い、閉鎖をバネや戸体の自重等を利用する自閉機構で行うようにした引戸装置に関するものである。
【０００２】
【従来の技術】
従来、引戸装置を防火戸として使用する場合には、停電時にも閉鎖させる必要があるため、引戸の開放・閉鎖を開閉機で行う電動引戸は使用できず、手動式の常時閉鎖型引戸装置が採用されていた。ところが屋内側に取り付けられる引戸は病院や老人ホームに使用される場合が多く、このような場所では電動式のものが要望されているため、電動式引戸をこのような場所に使用する場合は、停電時でも引戸を閉鎖させるためのバッテリを別途設ける必要があり大幅なコストアップとなってしまっていた。
【０００３】
そこで、引戸の開放作動は開閉機を利用した電動駆動機構で行い、閉鎖作動をバネや戸体の自重を利用した自閉機構で行う常時閉鎖式の引戸を採用することが考えられるが、このような引戸装置は全開位置で戸体を保持することができないため、起動若しくは挟まれ防止用の光電センサを遮ったままにしていると、戸体が全開位置付近で開閉作動を繰り返してしまうという不具合が発生してしまっていた。これは全開状態から戸体が閉鎖していって近接スイッチが復帰した時点で起動が入ることで戸体が開放し、また戸体が開放するとすぐに近接スイッチが働き戸体が停止してその後自閉機構により閉鎖してしまい、光電センサを遮っている間はこの動作を繰り返してしまうことになる。
【０００４】
【発明が解決しようとする課題】
本発明は、上記の不具合を解決するために創作されたものであって、戸体を開閉機で開放し、自閉機構で閉鎖する手段を簡単な構成で行う常時閉鎖式の引戸でありながら、必要なときには全開位置で戸体を保持することが可能な引戸装置を提供することを目的とするものである。また他の目的は良好な開閉動作を実現させることのできる引戸装置を提供することである。
【０００５】
【課題を解決するための手段】
かかる課題を達成するために本発明が採用した技術手段は、引戸の開放動作を行なう交流開閉機と、引戸の閉鎖動作を行なう自閉機構と、引戸の全開位置を検知する近接スイッチと、開口間に設けられる光電センサと、引戸の開閉をコントロールする制御部から構成される引戸装置において、前記制御部は、前記交流開閉機に交流電圧を供給して該交流開閉機を開駆動させる交流用回路と、前記交流開閉機に直流電圧を印加する直流用回路を有し、前記近接スイッチからの全開信号と前記光電センサからの検知信号を共に受けている間は、前記直流用回路をクローズ状態にして前記交流開閉機の回転軸をロックすることで引戸の移動を規制するようにし、さらに前記交流開閉機の増速起動トルクを前記自閉装置の付勢力よりも低く設定したことを特徴としたものである。このようにすることで、常時閉鎖式である引戸が全開位置にあるときに、光電センサを遮ったままであっても、引戸が全開位置付近で開閉を繰り返すことがなくなり、全開位置で保持されることになる。これは交流開閉機に直流電圧を掛けると開閉機の巻線に磁界が発生し、開閉機の回転軸がロック（直流制動）されるためである。ブレーキ装置や電磁石は（１）装置自体が高価である。（２）装置を取付るための納まりスペースを確保する必要がある。（３）装置の作動音が大きく病院等では使用しずらいう不具合があったが、本発明を実施するためには従来のものから回路やプログラムの変更のみで良く経済的で、また作動音もほとんど発生しないため好適である。さらに停電時には開閉機に印加された直流電圧が絶たれて開閉機の回転軸のロックが解除されるため、自閉機構により引戸が閉鎖されることとなる。
【０００６】
さらに本発明は、引戸の開放動作を行なう交流開閉機と、引戸の閉鎖動作を行なう自閉機構と、引戸の全開位置を検知する近接スイッチと、開口間に設けられる光電センサと、引戸の開閉をコントロールする制御部から構成される引戸装置において、前記制御部は、前記交流開閉機に交流電圧を供給して該交流開閉機を駆動させる交流用回路と、前記交流開閉機に直流電圧を印加する直流用回路を有し、前記近接スイッチからの全開信号を受けた場合には、所定時間前記直流用回路をクローズ状態にして前記交流開閉機の回転軸をロックすることで引戸の移動を規制するようにし、さらに前記交流開閉機の増速起動トルクを前記自閉装置の付勢力よりも低く設定したことを特徴としたものである。このようにすることにより引戸を開放して全開位置に達しても直ちに閉鎖することはなく、あらかじめ設定した時間だけ引戸を全開位置で保持することができるため使用者に恐怖感を与えることが無く、また電動引戸と略同等の動きを実現できることとなる。
【０００７】
【発明の実施の形態】
本発明の実施の形態について図面に基づいて説明する。図１は本発明に係る引戸装置の正面図である。建築物の室内と室外を結ぶ開口部には本発明である引戸装置１が設置されており、この引戸装置１は戸体２ａと、戸体２ａの上方に設けたハンガーローラー２ｂ、２ｂと、開口部上方で左右方向に延設した長尺状のハンガーレール２ｃとから基本部分が構成され、戸体２ａはハンガーローラー２ｂ、２ｂを介してハンガーレール２ｃに対して摺動することで左右方向に移動自在となっている。３は戸体２ａを開放駆動する交流開閉機で、また４は戸体２ａを閉鎖駆動する引戸クローザーであり、交流開閉機３と引戸クローザー４の各プーリー３ａ、４ａにそれぞれ巻回され、端部がそれぞれハンガーローラー２ｂ、２ｂに固定される駆動ベルト５により、戸体２ａに交流開閉機３の駆動力及び引戸クローザー４の付勢力が伝達され、戸体２ａの開閉動作が行われるようになっている。図８に示すようにプーリー３ａと交流開閉機３の回転軸３ｂとの間には一方向クラッチ３ｃが設けてあり、さらに交流開閉機３はオイルシールを設けない等の手段によりその増速起動トルクが低く設定されている。また引戸クローザー４は常に戸体２ａを閉鎖する方向に付勢しており、戸体２ａの全開時には交流開閉機３の増速起動トルクにうち勝って引戸クローザー４の持つ付勢力で戸体２ａが自動的に閉動作するようになっている。
【０００８】
６は近接スイッチであり、ハンガーローラ２ｂに取り付けられたマグネット７が接近することにより、戸体２ａの全開を検知し、引戸装置１の開閉をコントロールする制御部８に全開信号が送られ交流開閉機３の駆動を停止させている。また、前記近接スイッチ６は戸体２ａの全開位置よりも少し手前で検知するようになっており、交流開閉機３の停止後の惰性により戸体２ａが全開位置にくるように設定されている。尚、近接スイッチ６は自己保持型のスイッチであり、戸体２ａが検知位置から全開位置の間にあるときは制御部８に全開信号を出力し続ける構成になっている。
【０００９】
９は引戸装置１の開口間に設けられる光電センサであり、戸体２ａの閉鎖中又は全閉時に光電センサ９が人・物等を検知すると、制御部８に検知信号を送り交流開閉機３を駆動させて戸体２ａを開動作させるようになっている。１０は戸体２ａに設けられるタッチパネルであり、タッチパネル１０を触れることにより交流開閉機３が起動して戸体２ａの開動作を行うこととなる（実際にはタッチパネル１０に手を近づけることにより光電センサ９が検知して戸体２ａが開動作する仕組みになっている）。尚、本実施形態ではタッチパネル１０（光電センサ９）を起動用スイッチとしたが、別途開放用の押しボタンスイッチを設けるようにしても良い。
そしてタッチパネル１０に触れることにより制御部８に光電センサ９の検知信号が送られ、制御部８は交流開閉機３を開駆動させて戸体２ａが開動作を開始する。その後、前記近接スイッチ６からの全開信号を受けると、制御部８は交流開閉機３の開駆動を停止させ、惰性により戸体２ａは全開位置に達する。一方、戸体２ａの閉鎖は引戸クローザー４の付勢力のみで行われる。
【００１０】
図２は本発明の引戸装置１の制御部８内に設けられる制御回路１１であり、端子Ｘ、Ｙ間にはＡＣ１００Ｖの電圧が掛かっている。制御回路１１は、交流開閉機３に交流電圧を供給する交流用回路１２と、交流開閉機３に直流電圧を印加する直流用回路１３と、引戸装置の開閉動作をつかさどるプログラム部１５を有するプログラム回路１４で構成されている。交流用回路１２はＲ１リレー接点１２ａを有し、このＲ１リレー接点１２ａが閉じることにより交流電圧が交流開閉機３に供給され交流開閉機３の回転軸３ｂが回転することになる。尚、この回転軸３ｂの回転方向は戸体２ａを開動作する方向である。また直流用回路１３はＲ２リレー接点１３ａとｂ接点であるＲ１リレー接点１３ｂと交流電圧を直流電圧に変換する整流器１３ｃで構成され、Ｒ１リレー接点１３ｂは交流用回路１２と直流用回路１３が同時にクローズ状態になることを防ぐインターロックの働きをする。そしてＲ２リレー接点１３ａが閉じると整流器１３ｃで交流電圧から変換された直流電圧が交流開閉機３に掛かることになる。この状態になると交流開閉機３の回転軸３ｂはロック（直流制動）されるため、戸体２ａの移動が規制されることとなる。プログラム回路１４は、変圧器１４ａ及び整流器１４ｂによりＡＣ１００ＶからＤＣ１０Ｖに変換され、ＤＣ１０Ｖがプログラム部１５に掛かることとなる。プログラム部１５には後述する各実施例ごとに異なったシーケンス回路が組み込まれており、各シーケンス回路内には交流用回路１２及び直流用回路１３のＲ１リレー接点１２ａ、１３ｂとＲ２リレー接点１３ａの接点を切り替えるコイルが設けられている。そして引戸装置の動きによって各コイルに電圧がかかることで対応したリレー接点が切り替わる構成になっている。
【００１１】
次に本発明の第一実施例における引戸装置１の動きについて説明する。図３（ａ）は第一実施例におけるシーケンス回路１６、図５は第一実施例の動きを説明するフローチャートである。図３（ａ）において、１６ａはタッチパネル１０に手を触れることによって切り替わる起動スイッチであり、詳しくは前述のように引戸装置１の開口間に設けられる光電センサ９が検知する（遮られる）ことにより切り替わるようになるａ接点のスイッチである。１６ｂは近接スイッチ６の全開信号に基づいて切り替わる近接スイッチ接点（ｂ接点）、１６ｃはＲ１リレーコイルであり、Ｒ１リレーコイル１６ｃに電流が流れるとそれに対応したリレー接点が作動するようになっている。１６ｄはＲ１リレーコイル１６ｃに対応するＲ１リレー接点（ａ接点）、１６ｅは近接スイッチ６の全開信号に基づいて切り替わる近接スイッチ接点（ａ接点）、１６ｆは光電センサ９が検知することにより切り替わる光電センサ接点（ａ接点）、１６ｇはＲ２リレーコイルでありＲ１リレーコイル１６ｃと同様に電流が流れるとそれに対応したリレー接点が切り替わるようになっている。
【００１２】
図５のフローチャートのおいて、まずＳ１のスタート状態から開始される。このスタート状態とは引戸装置１に電源が入っていて、かつ戸体２ａが全閉である状態を言う。次にＳ２に進み、使用者がタッチパネル１０に手を触れると光電センサ９が遮られるため、起動スイッチ１６ａが切り替わる。そして起動スイッチ１６ａが切り替わるとＲ１リレーコイル１６ｃに電流が流れる。この状態になると交流用回路１２の各Ｒ１リレー接点１２ａが切り替わって交流用回路１２がクローズ状態となり交流開閉機３に交流電圧が供給される。さらに直流用回路１３のＲ１リレー接点１３ｂも切り替わることになる。よって交流用回路１２がクローズ状態の時には直流用回路１３は必ずオープン状態となる（インターロック機能）。そして交流開閉機３に交流電圧が供給されるとＳ３に進み、交流開閉機３の駆動力により戸体２ａが開動作を開始する。またシーケンス回路１６のＲ１リレー接点１６ｄも切り替わるため、一度光電センサ９を遮るだけでＲ１リレーコイル１６ｃへの電流の供給が継続することになる（自己保持機能）。続いてＳ４に進み、Ｓ４では近接スイッチ６からの全開信号が送られてきたか否かが判断される。ここで近接スイッチ６の全開信号が入力されていない場合には、Ｓ３に戻りまだ戸体２ａが全開位置に達していないため上述の自己保持機能により戸体２ａの開動作が継続される。一方、Ｓ４にて近接スイッチ６からの全開信号が入力された場合にはシーケンス回路１６の近接スイッチ接点１６ｂ、１６ｅが切り替わりＲ１リレーコイル１６ｃに流れていた電流が絶たれる。Ｒ１リレーコイル１６ｃに電流が流れなくなると、切り替わっていたＲ１リレー接点１２ａ、１６ｄがもとの状態に戻る。そして交流用回路１２はオープン状態となり交流開閉機３に交流電圧が供給されなくなるため、交流開閉機３の駆動が停止する。尚、前述の通り近接スイッチ６は戸体２ａの全開位置よりも手前の位置で検知し、その後戸体２ａは惰性により全開位置に到達する。
【００１３】
Ｓ５では光電センサ９が検知したか（遮られたか）否かが判断される。ここで光電センサ９が検知しない場合にはＳ８に進み、戸体２ａが全開位置に達した後直ちに引戸クローザー４により戸体２ａの閉動作が行われ、その後Ｓ９の全閉状態となりフローチャートの１サイクルが終了する。一方、Ｓ５にて光電センサ９が検知した場合には、シーケンス回路１６の光電センサ接点１６ｆが切り替わり、Ｒ２リレーコイル１６ｇに電流が流れ、直流用回路１３のＲ２リレー接点１３ａが切り替わると共に直流用回路１３がクローズ状態になり、直流電圧が交流開閉機３に供給されることになる。この状態になると交流開閉機３は電磁石の効果（直流制動）により回転軸３ｂがロックされ、戸体２ａの移動が規制されることになる。交流開閉機３の回転軸３ｂとプーリー３ａ間には一方向クラッチ３ｃが設けられていて、一方向クラッチ３ｃは回転軸３ｂが戸体２ａの開放方向ａに回転する場合には、ボール３ｄがかみ合い位置Ｓに移動するため、プーリー３ａと一体回転して交流開閉機３の駆動力が伝達される。また回転軸３ｂがロックされた状態において、一方向クラッチ３ｃはプーリー３ａが戸体２ａの開放方向Ａに回転しようとする場合には、ボール３ｄがかみ合い位置Ｓから外れるため、プーリー３ａと回転軸３ｂはフリー状態となり、プーリー３ａは回転可能である。一方、プーリー３ａが戸体２ａの閉鎖方向Ｂに回転しようとする場合には、ボール３ｄがかみ合い位置Ｓに進むため、ロック状態となりプーリー３ａは回転できないようになる。よって近接スイッチ６が働いた直後又は働く以前から光電センサ９が検知していて、近接スイッチ６が働いてすぐに交流開閉機３の回転軸３ｂがロックされたとしても、プーリー３ａは戸体２ａの開放方向Ａには回転可能であるため、急激に戸体２ａが停止することはなく、引戸装置１には急制動による無理な力が働くようなことはない。また、全開時には引戸クローザー４の付勢力を受けるがプーリー３ａは閉鎖方向Ｂの回転はロックされるため、戸体２ａは全開位置に保持されることになる。一般的に近接スイッチ６は全閉位置よりも少し手前の位置に来たときに検知するように構成されているが、一方向クラッチ３ｃがあるため惰性で全開位置まで移動し全開位置で戸体２ａが停止保持するため、戸体２ａが全開位置よりも手前位置で停止保持されるようなことはない。
【００１４】
Ｓ６にて、交流開閉機３の回転軸３ｂがロックされるとＳ７に進み、Ｓ７にて光電センサ９からの検知信号が継続中であるかが判断される。ここで検知信号が継続中の場合はＳ６に戻り交流開閉機３の回転軸３ｂがロックされつづけ、戸体２ａの閉鎖方向への移動を規制し続ける。一方、Ｓ７で検知信号の入力がなくなった場合には、シーケンス回路１６の光電センサ接点１６ｆが切り替わりＲ２リレーコイル１６ｇに流れていた電流が途絶えることとなる。そしてＲ２リレーコイル１６ｇに電流が流れなくなると、切り替わっていた直流用回路１３内のＲ２リレー接点１３ａが戻り直流用回路１３がオープン状態となる。交流開閉機３に供給されていた直流電圧が供給されなくなるとロックされていた交流開閉機３の回転軸３ｂがフリー状態になる。そしてＳ７からＳ８に進むと引戸クローザー４により戸体２ａの閉動作が行われ、Ｓ９にて戸体２ａが全閉状態となりフローチャートの１サイクルが終了する。
【００１５】
以上の説明のように第一実施例における引戸装置１は、戸体２ａが全開状態であるときに光電スイッチ９からの信号を受けている間は、引戸クローザー４の付勢力にうち勝って交流開閉機３の回転軸３ｂがロックされることで戸体２ａの閉鎖が規制される。このため戸体２ａの全開状態で光電センサ９が検知され続けていても従来のように全開位置付近で開閉を繰り返すようなことはなく、良好な引戸の開閉動作を行うことができる。また、停電時には交流開閉機３に掛かっていた直流電圧が供給されなくなるため、回転軸３ｂのロックが解除され引戸クローザー４の付勢力により戸体２ａが閉動作し全閉状態となる。
【００１６】
次に本発明の第二実施例における引戸装置１の動きについて説明する。図３（ｂ）は第二実施例におけるシーケンス回路１７、図６は第二実施例の動きを説明するフローチャートである。図３（ｂ）において、１７ａ〜１７ｅはそれぞれ第一実施例のシーケンス回路１６の１６ａ〜１６ｅと、１７ｇは１６ｇと同一のため説明は省略する。１７ｆはタイマ接点（ｂ接点）、１７ｈはタイマコイルであって、タイマ接点１７ｆはタイマコイル１７ｈにあらかじめ設定された時間以上電流が流れ続けたときに切り替わるようになっており、一度タイマ接点が切り替わった後はタイマコイル１７ｈに流れる電流が絶たれるまで切り替わった状態を保持するようになっている。
【００１７】
第二実施例の動きについて図６のフローチャートで説明する。まずＳ１のスタート状態（電源ＯＮかつ戸体２ａは全閉）からＳ２において使用者がタッチパネル１０に触れると、光電センサ９が遮られて起動スイッチ１７ａが切り替わりＲ１リレーコイル１７ｃに電流が流れる。そして交流用回路１２のＲ１リレー接点１２ａが切り替わり交流開閉機３に交流電圧が供給される。交流開閉機３の交流電圧が掛かるとＳ３に進み交流開閉機３の駆動により、戸体２ａが開動作を開始する。続いてＳ４に進み、近接スイッチ６からの信号が入力されるか否かが判断される。ここで信号が入力されない場合にはＳ３に戻り、開動作を継続する。一方、Ｓ４で近接スイッチ６からの信号が入力されたと判断した場合にはシーケンス回路１７内の近接スイッチ接点１７ｂ、１７ｅが切り替わる。近接スイッチ接点１７ｂが切り替わることでＲ１リレーコイル１７ｃに流れていた電流が供給されなくなり、交流用回路１２のＲ１リレー接点１２ａが復帰して交流開閉機３に掛かっていた交流電圧の供給が絶たれるとともに、交流開閉機３の開放駆動が停止される。また近接スイッチ接点１７ｅが切り替わることでタイマコイル１７ｈに電流が流れ、Ｓ５にてタイマが作動すると共にＲ２リレーコイル１７ｇにも電流が流れ、直流用回路１３のＲ２リレー接点１３ａが切り替わって交流開閉機３に直流電圧が供給されようになり、Ｓ６にて交流開閉機３の回転軸３ｂがロックされる。
【００１８】
Ｓ６にて交流開閉機３の回転軸３ｂがロックされると、前述の一方向クラッチ３ｃの作用により、戸体２ａは惰性で全閉位置に達して停止保持されることとなる。その後Ｓ７に進み、Ｓ７ではＳ５にて作動したタイマがタイムアップしたかが判断される。ここでまだタイムアップしていないと判断した場合にはＳ６に戻り、交流開閉機３の回転軸３ｂのロックが継続され、戸体２ａは全開位置での保持が続く。一方、Ｓ７にてタイムアップと判断した場合にはシーケンス回路１７のタイマ接点１７ｆが切り替わり、Ｒ２リレーコイル１７ｇに流れていた電流が絶たれて直流用回路１３のＲ２リレー接点１３ａが復帰する。そして直流用回路１３がオープン状態となり交流開閉機３に掛かっていた直流電圧の供給がなくなり、回転軸３ｂのロックが解除される。尚、タイマの設定時間は５秒〜１０秒程度が好適である。またこの設定時間は調節可能になっていることが好ましい。
【００１９】
Ｓ７にて交流開閉機３の回転軸３ｂのロックが解除されると、Ｓ８に進み引戸クローザー４の付勢力で戸体２ａが閉動作を開始する。そしてＳ９にて戸体２ａの全閉状態となり、フローチャートの１サイクルが終了することとなる。以上のように、本発明の引戸装置１の第二実施例では、戸体２ａが開放されると近接スイッチ６が入った時点で交流開閉機３の回転軸３ｂがロックされ戸体２ａが全開位置で停止保持される。さらに近接スイッチ６が入ると同時にタイマが作動し、そして設定された時間が経過すると回転軸３ｂのロックが解除され、引戸クローザー４により戸体２ａが閉鎖する。よって戸体２ａは開放すると全開位置であらかじめ設定されている時間だけ停止保持され、その後閉鎖することになる。このため従来の常時閉鎖式の引戸のように戸体２ａが開放されると直ちに閉鎖するものでないため、使用者自身に挟まれそうになるという感覚を与えることがなく、良好な引戸の開閉動作を実現することが可能である。
【００２０】
次に本発明の第三実施例における引戸装置の動きについて説明する。図４は第三実施例におけるシーケンス回路１８、図７は第三実施例の動きを説明するフローチャートである。図４において、１８ａ〜１８ｈはそれぞれ第二実施例のシーケンス回路１７の１７ａ〜１７ｈと同一であるため説明は省略する。１８ｉは光電センサ接点（ｂ接点）であり、光電センサ９が検知しているあいだ切り替わるようになっている。
【００２１】
第三実施例の動きについて図７のフローチャートで説明する。まずＳ１のスタート状態（電源ＯＮかつ戸体２ａは全閉）からＳ２において使用者がタッチパネル１０に触れると、光電センサ９が遮られて起動スイッチ１８ａが切り替わりＲ１リレーコイル１８ｃに電流が流れる。そして交流用回路１２のＲ１リレー接点１２ａが切り替わり交流開閉機３に交流電圧が供給される。交流開閉機３の交流電圧が掛かるとＳ３に進み交流開閉機３の駆動により、戸体２ａが開動作を開始する。続いてＳ４に進み、近接スイッチ６からの信号が入力されるか否かが判断される。ここで信号が入力されない場合にはＳ３に戻り、開動作を継続する。一方、Ｓ４で近接スイッチ６からの信号が入力されたと判断した場合にはシーケンス回路１８内の近接スイッチ接点１８ｂ、１８ｅが切り替わる。近接スイッチ接点１８ｂが切り替わることでＲ１リレーコイル１８ｄに流れていた電流が供給されなくなり、交流用回路１２のＲ１リレー接点１２ａが復帰して交流開閉機３に掛かっていた交流電圧の供給が絶たれ、交流開閉機３の開放駆動が停止される。続いてＳ５に進み光電センサ９からの検知信号が入力される否かが判断される。そして光電センサ９が検知した場合には光電センサ接点１８ｉが切り替わり、Ｓ４での近接スイッチ接点１８ｅの切り替わりと合わせてＲ２リレーコイル１８ｇにのみ電流が流れ、Ｓ６にて交流開閉機３の回転軸３ｂがロックされるとともに戸体２ａが全開位置で保持されることになる。さらにＳ７では光電センサ９の検知信号が継続して入力されているか否かが判断され、継続中であればＳ６に戻り戸体２ａの全開保持が継続される。またＳ７で検知信号の入力がない場合には光電センサ接点１８ｉが復帰すると共に、タイマコイル１８ｈに電流が流れ、Ｓ８にてタイマが作動する。Ｓ９で交流開閉機３の回転軸３ｂのロックが継続され、Ｓ１０でタイマがタイムアップしたかが判断される。ここでタイムアップしていない場合にはＳ９に戻り回転軸３ｂのロック（全開位置で戸体２ａを保持）が継続し、タイムアップの場合にはタイマ接点１８ｆが切り替わることでＲ２リレーコイル１８ｇに流れていた電流が途絶えるため、交流開閉機３の回転軸３ｂのロックが解除され、Ｓ１１に進み引戸クローザー４の付勢力により戸体２ａが閉動作を開始する。そしてＳ１２の全閉状態となりフローチャートの１サイクルが終了する。
【００２２】
一方、Ｓ５にて光電センサからの信号がない場合には、タイマコイル１８ｈに電流が流れてＳ８でタイマが作動すると共に、Ｒ２リレーコイル１８ｇにも電流が流れることにより、Ｓ９にて交流開閉機３の回転軸３ｂがロックすることになり、戸体２ａは全開位置で停止保持されることとなる。その後Ｓ１０でタイマがタイムアップしたか判断され、タイムアップしていない場合にはＳ９に戻り回転軸３ｂのロック（全開位置で戸体２ａを保持）が継続され、タイムアップした場合にはタイマ接点１８ｆが切り替わることでＲ２リレーコイル１８ｇに流れていた電流が途絶えるため、交流開閉機３の回転軸３ｂのロックが解除されるとともに、Ｓ１１に進み引戸クローザー４の付勢力により戸体２ａが閉動作を開始する、そしてＳ１２で戸体２ａが全閉状態となりフローチャートの１サイクルが終了する。
【００２３】
以上のように本発明の第三実施例のおける引戸装置１では、通常時は戸体２ａが開放されると近接スイッチ６が入った時点で交流開閉機３の回転軸３ｂがロックされ、戸体２ａが全開位置で停止保持されることになる。さらに近接スイッチ６が入るのと同時にタイマが作動し、あらかじめ設定された時間が経過すると回転軸３ｂのロックが解除され引戸クローザー４により戸体２ａが閉鎖する。よって戸体２ａは開放すると全開位置であらかじめ設定されている時間だけ停止保持され、その後閉鎖することになる。また戸体２ａが全開状態であるときに光電スイッチ９からの信号を受けている間は、引戸クローザー４の付勢力にうち勝って交流開閉機３の回転軸３ｂがロックされることで戸体２ａの閉鎖が規制されるため、戸体２ａの全開状態で光電センサ９が検知され続けていても従来のように全開位置付近で開閉を繰り返すようなことない。しかもこの状態から光電センサ９の信号がなくなるとタイマが作動して、あらかじめ設定された時間の経過後に回転軸３ｂのロックが解除される構成になっているため、光電センサ９の信号がなくなっても直ちに戸体２ａが閉鎖することなく、使用者に対して優しい好適な引戸の開閉動作を実現することができる。
【００２４】
本発明は戸体２ａの開放を交流開閉機３で行い、閉鎖を自閉機構で行う常時閉鎖式引戸装置でありながら、開放・閉鎖とも開閉機で行う電動引戸装置と同様な開閉動作を実現することができるばかりでなく、開放・閉鎖とも開閉機で行う電動引戸装置に比べて少ない電力で引戸の戸体２ａを開閉動作させることができる。また引戸の閉鎖はバネ若しくは戸体２ａの自重を利用した自閉機構で行うため、停電時でも閉鎖可能でありバッテリーを必要としない。さらに戸体２ａの閉鎖時に戸体２ａの先端に接触しても自閉装置で閉鎖しているため、開放・閉鎖とも開閉機で行う電動引戸装置のように大きな衝撃力を受けることがない。
【００２５】
本発明は交流開閉機３に直流電圧を印可することにより、交流開閉機３の回転軸３ａをロック（直流制動）して戸体２ａを全開位置で保持するように構成されているため、引戸を保持するための電磁石やブレーキ装置を採用する必要ない。このため電磁石やブレーキ装置の価格分のコストダウンがはかれると共に、これら装置の取り付けるための納まりスペースを別途確保する必要がなく好適である。しかも電磁石やブレーキ装置は大きな作動音が発生するため病院等に採用するのは不向きであるが、直流制動を利用した本発明の引戸保持手段は作動時にほとんど音を発生しないため、引戸装置の需要が見込まれる病院等に使用しても差し支えがない。
【００２６】
本発明の実施の形態では引戸装置１を上述のシーケンス制御で行ったが、マイコン制御等で行っても本発明が実施できることは言うまでもない。また戸体２ａの全開位置（全開より少し手前の位置を含む）を検知するために近接スイッチ６を利用しているが、例えばリミットスイッチやポテンショメータのようなものでの良く、要するに戸体２ａの全開位置を検知できるものであればよい。
【図面の簡単な説明】
【図１】引戸装置の正面図
【図２】制御回路図
【図３】（ａ）本発明の第一実施例のシーケンス回路
（ｂ）本発明の第二実施例のシーケンス回路
【図４】本発明の第三実施例のシーケンス回路
【図５】本発明の第一実施例おける引戸装置の動きを説明するフローチャート
【図６】本発明の第二実施例おける引戸装置の動きを説明するフローチャート
【図７】本発明の第三実施例おける引戸装置の動きを説明するフローチャート
【図８】交流開閉機の回転軸とプーリーの関係を示す図
【符号の説明】
１      引戸装置
２ａ    戸体
３      交流開閉機
３ｂ    回転軸
３ｃ    一方向クラッチ
６      近接スイッチ
８      制御部
９      光電センサ
１１    制御回路
【図１】
0003861212.tif 000002
【図２】
0003861212.tif 000003
【図３】
0003861212.tif 000004
【図４】
0003861212.tif 000005
【図５】
0003861212.tif 000006
【図６】
0003861212.tif 000007
【図７】
0003861212.tif 000008
【図８】
0003861212.tif 000009